(57)【要約】【課題】種々の支柱に後付けすることもできかつアウトリガ部材の位置固定強度も高くできるようにする。【解決手段】下部が接地可能なアウトリガ部材３と、このアウトリガ部材３の上部に枢支連結されていて、梯子構造体４の支柱４Ａに対して上下に沿って摺動可能でかつ上下位置で固定可能な装着具５と、一端がアウトリガ部材３の中途部に連結されかつ他端が支柱４Ａの下部に連結された補助支え９とを備えており、前記装着具５は支柱４Ａに対して上下各位置で固定するロック部材６を有する。前記梯子構造体４の支柱４Ａに装着具５を装着する装着レール７を固定しており、前記装着レール７は、支柱４Ａの表面に固定する取付け部と、装着具５を前後及び左右方向の位置を規制しながら上下摺動を案内するレール部と、ロック部材６と係合する上下係合部１０Ｕ、１０Ｄとを形成している。【選択図】図１
2019116774.tif 000002
【特許請求の範囲】
【請求項１】
下部が接地可能なアウトリガ部材（３）と、このアウトリガ部材（３）の上部に枢支連結されていて、梯子構造体（４）の支柱（４Ａ）に対して上下に沿って摺動可能でかつ上下位置で固定可能な装着具（５）と、一端がアウトリガ部材（３）の中途部に連結されかつ他端が支柱（４Ａ）の下部に連結された補助支え（９）とを備えており、前記装着具（５）は支柱（４Ａ）に対して上下各位置で固定するロック部材（６）を有するアウトリガ装置であって、
前記梯子構造体（４）の支柱（４Ａ）に装着具（５）を装着する装着レール（７）を固定しており、
前記装着レール（７）は、支柱（４Ａ）の表面に固定する取付け部と、装着具（５）を前後及び左右方向の位置を規制しながら上下摺動を案内するレール部と、ロック部材（６）と係合する上下係合部（１０Ｕ、１０Ｄ）とを形成していることを特徴とするアウトリガ装置。
【請求項２】
前記装着具（５）は、装着レール（７）のレール部に上下摺動自在に係合する係合部を有する具本体（５Ａ）に、装着レール（７）の上下係合部（１０Ｕ、１０Ｄ）と係合するロック部材（６）を係脱方向移動自在に設けていることを特徴とする請求項１に記載のアウトリガ装置。
【請求項３】
前記装着具（５）の具本体（５Ａ）は第１係合部（Ａ１）と第２係合部（Ａ２）とを有し、
前記装着レール（７）には、支柱（４Ａ）の前後一方の表面に固定する第１取付け部（７Ａ）と、この第１取付け部（７Ａ）の近傍で具本体（５Ａ）の第１係合部（Ａ１）を前後位置規制しながら摺動案内する第１レール部（７ａ）と、支柱（４Ａ）の左右一方の表面に固定する第２取付け部（７Ｂ）と、この第２取付け部（７Ｂ）の近傍で具本体（５Ａ）の第２係合部（Ａ２）を前後位置規制しかつ前記第１レール部（７ａ）と協働して左右位置規制しながら摺動案内する第２レール部（７ｂ）とを有することを特徴とする請求項２に記載のアウトリガ装置。
【請求項４】
前記装着レール（７）は第１取付け部（７Ａ）と第２取付け部（７Ｂ）との間に支柱（４Ａ）から離れた隆起部（７Ｃ）を有し、この隆起部（７Ｃ）に上下係合部（１０Ｕ、１０Ｄ）を形成していることを特徴とする請求項３に記載のアウトリガ装置。
【発明の詳細な説明】
【技術分野】
【０００１】
本発明は、梯子構造体に装着されるアウトリガ装置に関する。
【背景技術】
【０００２】
一対の支柱を横桟で連結した梯子、２つの梯子を金具で組み合わせた脚立。２つの梯子を足場板で連結した作業台等の梯子構造体は、梯子の支柱に傾倒を規制するためのアウトリガ装置が装着される。
このアウトリガ装置の従来技術として、特許文献１に開示されているものがあり、アウトリガ部材の上部に梯子構造体の支柱に装着するための装着具を設け、支柱の下部とアウトリガ部材の中途部とを補助支えで連結しており、前記装着具は支柱に上下摺動自在に嵌合するコ字状保持板と、支柱に対して押圧することにより上下位置を固定する偏心輪とを有しており、支柱に対する装着具の装着位置を下方にすることにより、支柱からアウトリガ部材を斜めに張り出して傾倒を規制する作用姿勢にし、支柱に対する装着具の装着位置を上方にすることにより、アウトリガ部材を支柱に沿わせる収納姿勢にするように構成されている。
【先行技術文献】
【特許文献】
【０００３】
【特許文献１】特開２００６−２４９８９０号公報
【発明の概要】
【発明が解決しようとする課題】
【０００４】
前記従来技術の装着具は、支柱に対して直接的に保持板が嵌合しているので、支柱の幅、形状等が変われば、それに対応した部品を用意しなくてはならなく、また、偏心輪を支柱に押し付けて固定する構造であるため、アウトリガ部材の位置固定を強固にするのが困難になっている。
本発明は、このような従来技術の問題点を解決できるようにしたアウトリガ装置を提供することを目的とする。
【０００５】
本発明は、梯子構造体の支柱に、装着具を上下摺動自在に案内しかつ上下位置を固定する装着レールを設けることにより、種々の支柱に後付けすることもできかつアウトリガ部材の位置固定強度も高くできるアウトリガ装置を提供することを目的とする。
【課題を解決するための手段】
【０００６】
本発明における課題解決のための具体的手段は、次の通りである。
第１に、下部が接地可能なアウトリガ部材３と、このアウトリガ部材３の上部に枢支連結されていて、梯子構造体４の支柱４Ａに対して上下に沿って摺動可能でかつ上下位置で固定可能な装着具５と、一端がアウトリガ部材３の中途部に連結されかつ他端が支柱４Ａの下部に連結された補助支え９とを備えており、前記装着具５は支柱４Ａに対して上下各位置で固定するロック部材６を有するアウトリガ装置であって、
前記梯子構造体４の支柱４Ａに装着具５を装着する装着レール７を固定しており、
前記装着レール７は、支柱４Ａの表面に固定する取付け部と、装着具５を前後及び左右方向の位置を規制しながら上下摺動を案内するレール部と、ロック部材６と係合する上下係合部１０Ｕ、１０Ｄとを形成していることを特徴とする。
【０００７】
第２に、前記装着具５は、装着レール７のレール部に上下摺動自在に係合する係合部を有する具本体５Ａに、装着レール７の上下係合部１０Ｕ、１０Ｄと係合するロック部材６を係脱方向移動自在に設けていることを特徴とする。
第３に、前記装着具５の具本体５Ａは第１係合部Ａ１と第２係合部Ａ２とを有し、
前記装着レール７には、支柱４Ａの前後一方の表面に固定する第１取付け部７Ａと、この第１取付け部７Ａの近傍で具本体５Ａの第１係合部Ａ１を前後位置規制しながら摺動案内する第１レール部７ａと、支柱４Ａの左右一方の表面に固定する第２取付け部７Ｂと、この第２取付け部７Ｂの近傍で具本体５Ａの第２係合部Ａ２を前後位置規制しかつ前記第１レール部７ａと協働して左右位置規制しながら摺動案内する第２レール部７ｂとを有することを特徴とする。
【０００８】
第４に、前記装着レール７は第１取付け部７Ａと第２取付け部７Ｂとの間に支柱４Ａから離れた隆起部７Ｃを有し、この隆起部７Ｃに上下係合部１０Ｕ、１０Ｄを形成していることを特徴とする。
【発明の効果】
【０００９】
本発明によれば、種々の支柱に後付けすることもできかつアウトリガ部材の位置固定強度も高くできる。
即ち、請求項１に係る発明は、梯子構造体４の支柱４Ａに装着具５を装着する装着レール７を固定し、この装着レール７に取付け部とレール部と上下係合部１０Ｕ、１０Ｄとを形成しているので、形状が異なる支柱４Ａであっても、新規及び既存の梯子構造体４に装着レール７を装着するだけでアウトリガ装置を装着することができ、装着レール７にロック部材６が係合してアウトリガ部材３を強力に位置固定できる。
【００１０】
請求項２に係る発明は、装着具５は、具本体５Ａにロック部材６を係脱方向移動自在に設けているので、ロック部材６は係脱方向移動で上下係合部１０Ｕ、１０Ｄと係合できアウトリガ部材３の位置固定を確実にできる。
請求項３に係る発明は、具本体５Ａは第１係合部Ａ１と第２係合部Ａ２とを有し、装着レール７には、支柱４Ａの前後一方の表面と左右一方の表面とにそれぞれ対応して、第１取付け部７Ａ及び第１レール部７ａと、第２取付け部７Ｂ及び第２レール部７ｂとを有するので、形状が異なる支柱４Ａであっても装着レール７を装着することができ、装着具５の前後・左右方向の横ブレを規制することができる。
【００１１】
請求項４に係る発明は、装着レール７は第１取付け部７Ａと第２取付け部７Ｂとの間に支柱４Ａから離れた隆起部７Ｃを有し、この隆起部７Ｃに上下係合部１０Ｕ、１０Ｄを形成しているので、ロック部材６と係合する上下係合部１０Ｕ、１０Ｄを支柱４Ａに形成する必要がなく、アウトリガ装置を種々の支柱４Ａを有する新規及び既存の梯子構造体４に容易に装着できる。
【図面の簡単な説明】
【００１２】
【図１】本発明の実施形態を示す作用姿勢のアウトリガ装置の斜視図である。
【図２】同収納姿勢のアウトリガ装置の斜視図である。
【図３】図２のＸ−Ｘ線断面図である。
【図４】作用姿勢のアウトリガ装置の正面図である。
【図５】アウトリガ装置付き梯子構造体全体の正面図である。
【図６】アウトリガ装置付き梯子構造体全体の側面図である。
【発明を実施するための形態】
【００１３】
以下、本発明の実施の形態を図面に基づいて説明する。
図１〜６において、アウトリガ装置１は、アウトリガ部材３と、このアウトリガ部材３の上部に枢支連結された装着具５と、アウトリガ部材３の中途部と梯子構造体４の支柱４Ａの下部とを連結する補助支え９と、支柱４Ａに装着具５を装着する装着レール７とを備えており、支柱４Ａに対して装着具５を上下位置変更することにより、アウトリガ部材３を支柱４Ａから斜めに張り出す作用姿勢Ｓと支柱４Ａに沿う収納姿勢Ｐとに設定可能になっている。
【００１４】
前記梯子構造体４は、図５、６に示すように、左右一対の支柱４Ａを複数本の横桟４Ｂで連結して梯子を構成し、この構造の梯子を２つ上部でピン連結して組み合わせて脚立としている。前記２つの梯子は上端同士を足場板で連結すると作業台となる。アウトリガ装置１は梯子の左右支柱４Ａに着脱自在に装着されており、新規に製造されるものだけでなく、既存の梯子構造体４にも装着可能になっている。
【００１５】
梯子構造体４の支柱４Ａは断面略コ字状のチャンネル材又は四角筒材等で形成され、梯子構造体４の側面を形成する幅広面ａと、その両端から梯子構造体４の前後面を形成する一対の端面ｂとを有する。前記幅広面ａと端面ｂとは直交する２面であって、装着レール７は幅広面ａから一方の端面ｂに亘って取り付けられる。
図１〜４において、前記アウトリガ部材３は、中央壁３ａの両端から一対の側壁３ｂが突出した略断面コ字状のアルミチャンネル材で形成されており、一対の側壁３ｂの間隔（溝幅）は支柱４Ａより狭くかつ補助支え９の幅より広くなっている。
【００１６】
アウトリガ部材３はその上端に装着具５が枢支連結され、その下端に作用姿勢Ｓのときに接地するための接地体８が嵌合されている。
前記補助支え９は、一端が支柱４Ａの下部に固定のブラケット２０にピン２１を介して連結されており、他端側はアウトリガ部材３内に入っていてアウトリガ部材３の中途部にピン２２を介して連結されている。
【００１７】
この補助支え９は図２、５に示すように、アウトリガ部材３を支柱４Ａから斜めに張り出す作用姿勢Ｓにしたとき、支柱４Ａから側方へ突出してアウトリガ部材３の揺動を規制し、アウトリガ部材３を支柱４Ａに沿う収納姿勢Ｐにしたとき、折り畳まれて支柱４Ａとアウトリガ部材３との間で支柱４Ａに沿わされる。
前記装着具５は、左右側壁及び上部壁を有する具本体５Ａと、この具本体５Ａの左右側壁に水平方向移動可能に挿通されたロック部材６とを有している。このロック部材６は略Ｊ字形状であり、具本体５Ａの左右側壁とアウトリガ部材３の上部とを貫通した軸部６ａと、具本体５Ａの外側で軸部６ａの先端から鉤状に曲げられていて外側から一方の側壁に挿入されたロックピン部６ｂとを有する。
【００１８】
図３において、前記軸部６ａは、具本体５Ａをアウトリガ部材３の上部に枢支連結しており、水平方向（軸方向）に移動自在であり、スプリング１２によってロックピン部６ｂを具本体５Ａに近づける方向に付勢され、ロックピン部６ｂを装着レール７に形成される上下係合部１０Ｕ、１０Ｄに係合可能にしている。
具本体５Ａの左右側壁Ｅ、Ｆは脚長が長短異なっており、それぞれ装着レール７のレール部と上下摺動自在に係合する係合部を形成している。支柱４Ａの幅広面ａ側に位置する側壁Ｅは脚長が短く、その先端側に第１係合部Ａ１を形成しており、支柱４Ａの端面ｂ側に位置する側壁Ｆは脚長が長く、その先端側に第２係合部Ａ２を形成しており、この脚長の長い側壁Ｆにはロック部材６の軸部６ａを挿通する軸穴１４とロックピン部６ｂを挿通するピン穴１５とが形成されている。
【００１９】
前記装着レール７は、支柱４Ａの表面に固定する取付け部と、装着具５を前後及び左右方向の位置を規制しながら上下摺動を案内するレール部と、ロック部材６と係合する上下係合部１０Ｕ、１０Ｄとを形成している。
装着レール７は、断面略Ｌ字状のアルミ押型材で、装着具５の上下摺動範囲をカバーする長さに形成されており、Ｌ字状となる一辺が支柱４Ａの幅広面ａ（梯子構造体４の側方から見た場合の支柱４Ａの前表面）に締結具を介して固定される第１取付け部７Ａとなり、Ｌ字状となる他辺が支柱４Ａの端面ｂ（梯子構造体４の側方から見た場合の支柱４Ａの左右一方の表面）に締結具を介して固定される第２取付け部７Ｂとなっている。
【００２０】
支柱４Ａは梯子構造体４の構造や大きさによって、幅広面ａの幅、端面ｂの長さ、面の凹凸形状、四角筒形状等の異なるものがあるが、必ず１面の幅広面ａと１面の端面ｂとを有するので、装着レール７は支柱４Ａの角部を跨って直行する２面に固定することができる。
前記装着レール７には、第１取付け部７Ａの近傍に具本体５Ａの第１係合部Ａ１を前後方向（幅広面ａと対向する方向）の位置規制しながら摺動案内する第１レール部７ａが形成されている。
【００２１】
第１係合部Ａ１は１条の突起であり、第１レール部７ａは１条の突起が入る溝であり、これらは係合することにより、支柱４Ａの幅広面ａに対して遠近方向（前後方向）の位置を規制しながら摺動を案内する。
また、装着レール７には、第２取付け部７Ｂの近傍に具本体５Ａの第２係合部Ａ２を前後位置規制しかつ前記第１レール部７ａと協働して左右方向（端面ｂと対向する方向）の位置規制しながら摺動案内する第２レール部７ｂが形成されている。
【００２２】
第２係合部Ａ２は支柱４Ａの端面ｂに向かって突出した幅広の突出部であり、第２レール部７ｂは幅広の突出部が入る凹条部であり、これらは係合することにより、支柱４Ａの端面ｂに対して面に沿う方向（前後方向）の位置を規制しながら摺動を案内する。
第２係合部Ａ２は第１係合部Ａ１と前後にずれてはいるが左右に対向する方向に突出しているので、第１係合部Ａ１が第１レール部７ａに係合した状態で第２係合部Ａ２が第２レール部７ｂに係合すると、両者は協働して装着具５の左右方向（幅広面ａに沿う方向でありかつ端面ｂと対向する方向）の位置規制をする。
【００２３】
前記第２レール部７ｂは凹条部の底が第２取付け部７Ｂとなっている。第２レール部７ｂは自由端側が傾斜壁７ｄで形成され、第２係合部Ａ２の端部に形成した斜面ｄが当接しており、第２係合部Ａ２が第２レール部７ｂの奥方向に係合することにより、第１係合部Ａ１及び第２取付け部７Ｂが前後方向及び左右方向にガタつかないようにしている。
前記装着レール７は、第１取付け部７Ａと第２取付け部７Ｂとの間に支柱４Ａから離れた隆起部７Ｃを形成している。この隆起部７Ｃは支柱４Ａの角部に対向しており、幅広面ａとも端面ｂとも離れており、端面ｂと平行な側壁部分１６に貫通穴の上下係合部１０Ｕ、１０Ｄを形成している。この側壁部分１６は具本体５Ａの脚長の長い側壁Ｆの中途部分が重合しており、側壁Ｆのピン穴１５は上下係合部１０Ｕ、１０Ｄのそれぞれに同心状に対向できるようになっている。
【００２４】
前記隆起部７Ｃを形成することは、第１取付け部７Ａ及び第２取付け部７Ｂとの間に第１レール部７ａ及び第２レール部７ｂを形成することを可能にし、上下係合部１０Ｕ、１０Ｄへのロック部材６のロックピン部６ｂの挿入を可能にし、断面略Ｌ字状の装着レール７自体の強度を向上することを可能にしている。
ロック部材６はロックピン部６ｂを装着レール７の上係合部１０Ｕに係合すると、装着具５は支柱４Ａに固定され、アウトリガ部材３は支柱４Ａに添接した収納姿勢Ｐになり、図６実線及び仮想線で示すように、梯子構造体４を開脚状態にしたり閉脚状態にしたりすることができる。
【００２５】
梯子構造体４を開脚状態にして、アウトリガ部材３を収納姿勢Ｐから、スプリング１２に抗してロック部材６を水平移動させて、ロックピン部６ｂを上係合部１０Ｕから離脱すると、装着具５は固定が解除されて装着レール７上を移動可能になり、装着具５を下降していくと、アウトリガ部材３の下部は支柱４Ａから張り出していく（図５仮想線で示す位置から実線で示す位置へ移動）。
【００２６】
そして、ロック部材６のロックピン部６ｂを装着レール７の下係合部１０Ｄに対向し、スプリング１２の付勢作用によって引っ張って、下係合部１０Ｄに係合させる。ロックピン部６ｂが下係合部１０Ｄに係合すると、装着具５は支柱４Ａに固定され、アウトリガ部材３は作用姿勢Ｓに保持される。
装着レール７の下係合部１０Ｄは貫通穴であり、ロック部材６のロックピン部６ｂが挿入されると、その係合は確実に行われ、摩擦抵抗で止められるよりも確実な固定ができる。
【００２７】
なお、本発明は前記実施形態に限定されるものではなく、部材の形状、構成及び組み合わせ等を変更したりすることもできる。
例えば、装着レール７は、支柱４Ａの一表面に固定する取付け部と、装着具５を前後及び左右方向の位置を規制しながら上下摺動を案内する１本のレール部と、ロック部材６と係合する上下係合部１０Ｕ、１０Ｄとを形成していてもよい。
【００２８】
上下係合部１０Ｕ、１０Ｄは貫通穴の代わりに、凹部または凸部を形成し、ロック部材６をそれら凹部または凸部に係脱自在に係合するロックピン部に形成してもよい。
【符号の説明】
【００２９】
１        アウトリガ装置
３        アウトリガ部材
３ａ      中央壁
３ｂ      側壁
４        梯子構造体
４Ａ      支柱
４Ｂ      横桟
５        装着具
５Ａ      具本体
６        ロック部材
６ａ      軸部
６ｂ      ロックピン部
７        装着レール
７Ａ      第１取付け部
７Ｂ      第２取付け部
７Ｃ      隆起部
７ａ      第１レール部
７ｂ      第２レール部
７ｄ      傾斜壁
８        接地体
９        補助支え
１０Ｄ    下係合部
１０Ｕ    上係合部
Ａ１      第１係合部
Ａ２      第２係合部
Ｌ        断面略
Ｐ        収納姿勢
Ｓ        作用姿勢
ａ        幅広面
ｂ        端面
ｄ        斜面
【図１】
2019116774.tif 000003
【図２】
2019116774.tif 000004
【図３】
2019116774.tif 000005
【図４】
2019116774.tif 000006
【図５】
2019116774.tif 000007
【図６】
2019116774.tif 000008